(57)【要約】【課題】  傾き調整作業の簡素化を図り傾斜角度を高精度に調整することができるパチンコ機を得る。【解決手段】  パチンコ機本体５２が前面に設けられた傾斜枠２４を外枠１２内に配置し、この傾斜枠２４は、下部を外枠１２により回動可能に軸支して外枠１２に対し傾倒可能とする。また、外枠１２と傾斜枠２４の間には、傾斜枠２４の上部を支持するとともに傾斜枠２４の傾斜角度を調整する傾斜機８０を設ける。パチンコ機１０を島設備に設置する際は、外枠１２を島設備に釘で固定した後に、傾斜機８０を操作して傾斜枠２４及びパチンコ機本体５２の傾斜角度を調整する。【選択図】        図２
2006122482.tif 000002
【特許請求の範囲】
【請求項１】
パチンコ機の外郭を構成するとともに島設備に取り付けられてパチンコ機を島設備に設置するための外枠と、
前記外枠内の前面側に配置された傾斜枠と、
前記傾斜枠の前面に設けられたパチンコ機本体と、
前記外枠と前記傾斜枠の間に設けられ、傾斜枠の下部を回動可能に軸支して傾斜枠を外枠に対し傾倒可能とする軸支手段と、
前記外枠と前記傾斜枠の間に設けられ、傾斜枠の上部を支持するとともに傾斜枠の傾斜角度を調整する調整手段と、
を有することを特徴とするパチンコ機。
【請求項２】
前記傾斜枠の下面に傾斜枠の回動軸心を中心とした円弧形状部が設けられ、その円弧形状部を含む前記下面が前記外枠内の底面に略接触していることを特徴とする請求項１記載のパチンコ機。
【発明の詳細な説明】
【技術分野】
【０００１】
本発明は、パチンコ機を島設備に設置する際の傾き調整及び固定作業を簡素化するための傾斜調整機構を備えたパチンコ機に関する。
【背景技術】
【０００２】
パチンコ機をパチンコ店の島設備に設置する場合、通常はパチンコ機を直立状態から後側へ所定角度（一般的には４分５厘）だけ傾けて設置している。この傾き調整には専用の計測器や治具等が用いられ、調整後にはパチンコ機の外枠を島設備に釘で固定しているが、この傾き調整や固定作業は煩雑であり、傾斜角度を高精度に調整するには熟練を要するため、島設備を構成する下フレームとパチンコ機の外枠下部を構成する下横枠との間に、パチンコ機を回動可能に軸支する支承手段（パチンコ機支承金具及びパチンコ機取付板）を設け、島設備を構成する上フレームと外枠上部を構成する上横枠との間に、パチンコ機の傾きを調整する傾斜調整手段を設けることにより、傾斜調整手段を操作するだけでパチンコ機の傾き調整を可能とし、作業を簡素化して調整精度のバラツキを抑えるようにした傾斜調整機構が提案されている（例えば、特許文献１参照）。
【特許文献１】実公平７−３６７０４号公報
【発明の開示】
【発明が解決しようとする課題】
【０００３】
しかしながら、上記の技術では、パチンコ機支承金具を島設備の下フレームに取り付ける際に、上部に配置された傾斜調整手段との相対位置を合わせるために高い取付精度が要求され、その取付作業にやはり習熟を要し、専用の取付治具等も必要となる。また、外枠の下部に、パチンコ機支承金具に対応する専用のパチンコ機取付板を取り付ける必要があるため、パチンコ機をパチンコ店に納品した後に外枠に加工を施さなければならなくなり、手間となる。
【０００４】
本発明は上記事実を考慮して、パチンコ店への納品後に外枠等に後加工を施すことなく島設備に容易に設置することができるとともに、傾き調整作業の簡素化を図り傾斜角度を高精度に調整することができるパチンコ機を提供することを課題とする。
【課題を解決するための手段】
【０００５】
上記目的を達成するために請求項１に記載の発明は、パチンコ機の外郭を構成するとともに島設備に取り付けられてパチンコ機を島設備に設置するための外枠と、前記外枠内の前面側に配置された傾斜枠と、前記傾斜枠の前面に設けられたパチンコ機本体と、前記外枠と前記傾斜枠の間に設けられ、傾斜枠の下部を回動可能に軸支して傾斜枠を外枠に対し傾倒可能とする軸支手段と、前記外枠と前記傾斜枠の間に設けられ、傾斜枠の上部を支持するとともに傾斜枠の傾斜角度を調整する調整手段と、を有することを特徴としている。
【０００６】
請求項１に記載の発明では、パチンコ機を島設備に設置する際に、従来のようなパチンコ機全体を後側へ傾けるような傾斜調整は行わず、例えば直立状態のままパチンコ機の外郭を構成する外枠を島設備に釘等で固定して取り付ける。このパチンコ機の設置後に、外枠内の前面側に配置された傾斜枠の上部を支持する調整手段を操作すると、外枠との間に設けられた軸支手段によって下部が回動可能に軸支された傾斜枠は、外枠に対して傾倒する。傾斜枠の前面に設けられたパチンコ機本体は、この傾斜枠の傾倒に伴い傾斜して所定の傾斜角度に調整されるため、例えばパチンコ機本体の前面上部に設けられた遊技盤の盤面を所定の傾斜角度に調整し、入賞率（出玉率）を所望の範囲に設定するなどが可能となる。
【０００７】
このように、上記のパチンコ機では、外枠を島設備に固定するだけで島設備に設置することができ、例えばパチンコ店への納品後に外枠に専用の取付部材等を取り付けたり、従来のようにパチンコ機全体を後側へ傾けながら釘で固定するような煩雑且つ習熟を要する作業が解消されるため、島設備に容易に設置することができる。また、パチンコ機本体の傾斜角度は調整手段を操作するだけで任意に調整できるため、傾き調整作業が簡素化されるとともに傾斜角度を高精度に調整することができる。
【０００８】
請求項２に記載の発明は、請求項１記載のパチンコ機において、前記傾斜枠の下面に傾斜枠の回動軸心を中心とした円弧形状部が設けられ、その円弧形状部を含む前記下面が前記外枠内の底面に略接触していることを特徴としている。
【０００９】
請求項２に記載の発明では、傾斜枠の下部を軸支手段によって回動可能に軸支する構成の場合、例えば傾斜枠の下面部と外枠内の底面部との間に隙間が生じていると、その隙間からピアノ線やセルロイド等の不正具がパチンコ機内に進入されて機器が不正に操作される恐れがある。
【００１０】
そこで、傾斜枠の下面に傾斜枠の回動軸心を中心とした円弧形状部を設け、その円弧形状部を含む傾斜枠の下面を外枠内の底面に略接触させることで、傾斜枠下部の回動動作、すなわち傾斜枠の傾倒動作を妨げることなく傾斜枠の下面と外枠の間に隙間がない状態を保つことができる。これにより、上記の不正行為を防止することができる。
【００１１】
また、傾斜枠はパチンコ機本体を備えることで重量物となるが、ここでは傾斜枠の下面が外枠内の底面によって支えられるため、例えば傾斜枠及びパチンコ機本体を軸支手段のみで支持する構成に比べ、軸支手段の構造を簡素化することができる。
【発明の効果】
【００１２】
本発明のパチンコ機は上記構成としたので、パチンコ店への納品後に外枠等に後加工を施すことなく島設備に容易に設置することができるとともに、傾き調整作業の簡素化が図られ傾斜角度を高精度に調整することができる。
【発明を実施するための最良の形態】
【００１３】
以下、本発明の実施形態に係るパチンコ機について図面を参照して説明する。
【００１４】
図１及び図２には本発明の一実施形態に係るパチンコ機が示され、図３〜図５には本実施形態のパチンコ機を島設備に設置した状態が示されている。
【００１５】
図１及び図２に示されるように、パチンコ機１０は、機器の外郭を構成する矩形状の外枠１２を備えている。外枠１２は、上枠部１４、下枠部１６、左枠部１８、及び右枠部２０によって構成され、左枠部１８と右枠部２０の各下端部近傍における前側には、同軸的に配置された一対の貫通孔２２が形成されている。また、上枠部１４の下面には、詳細については後述する傾斜機８０のベース８２が取り付けられている。
【００１６】
外枠１２内には、外枠１２よりも一回り小さく、且つ、奥行き方向が薄くされた矩形状の傾斜枠２４が配置されている。傾斜枠２４は、外枠１２同様に、上枠部２６、下枠部２８、左枠部３０、及び右枠部３２によって構成され、左枠部３０と右枠部３２の各外側面の下端部近傍には、外枠１２の一対の貫通孔２２に対応して同軸的に配置された一対の支軸３４が突設されている。また、下枠部２８の下面３６における後側の角部には、図４に示されるように、一対の支軸３４の軸心Ｌ（図２参照）を中心とした円弧形状部３８が設けられている。
【００１７】
傾斜枠２４は、各支軸３４が外枠１２の各貫通孔２２に挿入されて外枠１２に取り付けられており、その状態で、下部（下枠部２８近傍部分）が外枠１２に回動可能に軸支され、外枠１２に対し傾倒可能とされている。また、この取付状態では、図４に示されるように、円弧形状部３８を含む下面３６が外枠１２内の底面（下枠部１６の上面）４０に略接触しており、これにより、傾斜枠２４の下面３６と外枠１２内の底面４０との間には隙間がない状態とされている。
【００１８】
図２に示されるように、傾斜枠２４の左上角部には、上ヒンジ部材４２が取り付けられている。傾斜枠２４の前面下部には下飾り４４が取り付けられ、この下飾り４４の左上角部には上ヒンジ部材４２に対応する下ヒンジ部材４６が取り付けられている。また、傾斜枠２４の右枠部３２内側面には、所定の間隔で配置された溝部４８が２個形成されており、これらの溝部４８には一対の鍵受け５０が嵌め込まれて取り付けられている。
【００１９】
傾斜枠２４の前面には、パチンコ機１０の本体部分を構成するパチンコ機本体５２が配置されている。パチンコ機本体５２は、矩形額縁状の内枠５４を備え、内枠５４の左上角部及び左下角部には、傾斜枠２４の上ヒンジ部材４２及び下ヒンジ部材４６に対応する一対の上ヒンジ板５６及び下ヒンジ板５８が取り付けられている。パチンコ機本体５２は、内枠５４の上ヒンジ板５６及び下ヒンジ板５８が傾斜枠２４の上ヒンジ部材４２及び下ヒンジ部材４６に回動可能に軸支されることにより、傾斜枠２４の前面に開閉可能に取り付けられている。
【００２０】
また、パチンコ機本体５２を傾斜枠２４に閉塞すると、内枠５４の裏面に設けられた施錠装置の一対のフック５９が外枠１２の一対の鍵受け５０に係合し、これにより、内枠５４を含むパチンコ機本体５２は傾斜枠２４及び外枠１２に保持される（図１参照）。
【００２１】
内枠５４の前面上部には、窓部６０にガラス板６２を装着したガラス枠６４が配置されており、ガラス枠６４は左側端部が内枠５４に軸支されて開閉可能に取り付けられている。また、ガラス枠６４の裏面側となる内枠５４の上部には、図示しない遊技盤がセットされており、遊技盤は、図示のようにガラス枠６４を内枠５４に閉塞した状態でガラス枠６４（ガラス板６２）に覆われている。
【００２２】
内枠５４の前面下部には、一般的な上皿及び下皿の機能を兼ね備える打球供給皿としての一体皿６６が配置されている。一体皿６６は、パネル部材６８の左側端部が内枠５４に軸支されて開閉可能に取り付けられており、パネル部材６８の前面には、上部に遊技球を貯える球皿部７０が形成された球皿本体７２が突設されている。
【００２３】
球皿部７０の底面は、図１及び図２に示されるパチンコ機１０の正面視にて右側から左側へ下り傾斜している。その傾斜方向の上流側となる右側の球皿奥壁面には、内枠５４の裏面に取り付けらた賞球払出装置（図示省略）から払い出された賞球や貸球が排出される球排出口７４が形成されており、傾斜方向の下流側となる左側の球皿底面上には、上流側から流下する遊技球を１列に整列して一体皿６６の裏面に配置された球送り装置（図示省略）に送り込むための整列通路が設けられている。この一体皿６６の球皿部７０に、上記の球排出口７４から遊技球（賞球又は貸球）が排出されると、遊技球は球皿部７０内を左方向へ流下し整列通路により１列に整列されて球送り装置に送り込まれる。
【００２４】
また、パネル部材６８前面の左側下部には灰皿７６が設けられ、右側下部には打球の発射力（飛距離）を調整するための発射ハンドル７８が取り付けられている。
【００２５】
図６及び図７には、前述した傾斜機８０が示されている。図６及び図７に示されるように、傾斜機８０は、上面部及び前面部が開口した略箱状のベース８２を備えている。
【００２６】
ベース８２の略中央には、左右方向に沿って矩形状に開口された開口部８４が形成されており、この開口部８４には円板状の操作部材８６が嵌め込まれている。操作部材８６は、開口部８４から左右部分と下部が突出されており、図示のように開口部８４に嵌め込まれると、前後方向にほぼガタが無い状態で開口部８４内に配置される。
【００２７】
操作部材８６の軸心部にはねじ孔８８が形成されており、このねじ孔８８には移動軸９０のねじ部９２がねじ込まれている。移動軸９０の後部９４は、ベース８２の後部に設けられた縦壁部９６の貫通孔９８に挿抜可能に挿通され、縦壁部９６の貫通孔９８にほぼガタが無い状態で支持されている。また、移動軸９０の先端側は、ベース８２内から前方へ突出され、その先端部には直方体状の取付部１００が設けられている。この取付部１００は、傾斜枠２４を構成する上枠部２６の下面に形成された溝部１０２に嵌め込まれて固定されている（図２参照）。
【００２８】
このように、傾斜機８０を外枠１２と傾斜枠２４の間に取り付けると、傾斜機８０の移動軸９０及び操作部材８６は、ベース８２と傾斜枠２４との間で図６及び図７に示される状態で保持され、また逆に、傾斜枠２４の上部（上枠部２６）は傾斜機８０を介して外枠１２に支持される。そして、傾斜機８０の操作部材８６を回転させると（図６の矢印Ａ方向）、移動軸９０が前進又は後退し（図６の矢印Ｂ方向）、それに伴い、傾斜枠２４の上部が前方又は後方へ移動し傾斜枠２４は支軸３４（軸心Ｌ）を中心に回動して傾倒する。
【００２９】
次に、以上説明した本実施形態に係るパチンコ機１０の傾斜調整方法及び作用について説明する。
【００３０】
図３に示されるように、本実施形態に係るパチンコ機１０を島設備２００に設置する際は、図４に示されるように、島設備２００に形成された矩形状開口のパチンコ機設置部２０２内にパチンコ機１０を直立状態でセットする。ここで、従来のようなパチンコ機全体を後側へ傾けるような傾斜調整は行わず、そのままパチンコ機１０の外枠１２をパチンコ機設置部２０２に釘で固定して取り付ける。
【００３１】
このパチンコ機１０の設置後に、傾斜機８０の操作部材８６を回転操作し、図５に示されるように、傾斜枠２４を垂直面に対して所定の角度（０〜９分の範囲で一般的には４分５厘）だけ後側へ傾倒させる。
【００３２】
ここで、傾斜枠２４の前面に設けられたパチンコ機本体５２は、傾斜枠２４の傾倒に伴い傾斜して所定の傾斜角度に調整され、これにより、内枠５４の前面上部に配置された遊技盤の盤面が所定の傾斜角度に調整されて入賞率（出玉率）が所望の範囲に設定できるようになる。
【００３３】
このように、本実施形態のパチンコ機１０では、外枠１２を島設備２００のパチンコ機設置部２０２に固定するだけで島設備２００に設置することができ、例えばパチンコ店への納品後に外枠に専用の取付部材等を取り付けたり、従来のようにパチンコ機全体を後側へ傾けながら釘で固定するような煩雑且つ習熟を要する作業が解消されるため、島設備２００に容易に設置することができる。また、パチンコ機本体５２の傾斜角度は傾斜機８０の操作部材８６を操作するだけで任意に調整できるため、傾き調整作業が簡素化されるとともに傾斜角度を高精度に調整することができる。
【００３４】
また、上記のように外枠に専用の取付部材を取り付ける構成の場合、パチンコ機を入れ替える際にその取付部材を取り外す手間も生じるが、本実施形態の構成であればパチンコ機入れ替え時にそのような手間が生じることはない。また、パチンコ機１０単体でもパチンコ機本体５２の傾きが調整できるため、島設備２００への設置前にパチンコ機本体５２を所定の角度に調整して試し打ちを行い、不具合等が無いかを事前に確認をすることができる。
【００３５】
また、本実施形態のように、傾斜枠２４の下部を回動可能に軸支する構成の場合、例えば傾斜枠２４の下面３６と外枠１２内の底面４０との間に隙間が生じていると、その隙間からピアノ線やセルロイド等の不正具がパチンコ機１０内に進入されて（図５の矢印Ｃ）、機器が不正に操作される恐れがある。これに対し、本実施形態のパチンコ機１０では、傾斜枠２４の下面３６に傾斜枠２４の回動軸心（軸心Ｌ）を中心とした円弧形状部３８を設け、その円弧形状部３８を含む下面３６を外枠１２内の底面４０に略接触させていることにより、傾斜枠２４下部の回動動作、すなわち傾斜枠２４の傾倒動作を妨げることなく傾斜枠２４の下面３６と外枠１２の間に隙間のない状態が保たれ、上記の不正行為を防止することができる。
【００３６】
また、傾斜枠２４はパチンコ機本体５２を備えることで重量物となるが、本実施形態では傾斜枠２４の下面３６が外枠１２内の底面４０によって常に支えられた状態となっている。これにより、例えば傾斜枠及びパチンコ機本体を軸支手段のみで支持するような構成に比べ、外枠１２側の一対の貫通孔２２及び傾斜枠２４側の一対の支軸３４からなる軸支手段の構造を簡素化することができる。
【００３７】
以上、本発明を上述した特定の実施形態により詳細に説明したが、本発明はそれに限定されるものではなく、本発明の範囲内にて他の種々の形態が実施可能である。
【図面の簡単な説明】
【００３８】
【図１】本発明の一実施形態に係るパチンコ機を示す斜視図である。
【図２】本発明の一実施形態に係るパチンコ機を示す分解斜視図である。
【図３】本発明の一実施形態に係るパチンコ機が島設備に設置された状態を示す斜視図である。
【図４】島設備に設置されたパチンコ機の傾斜調整前の状態を示す側断面図である。
【図５】島設備に設置されたパチンコ機の傾斜調整後の状態を示す側断面図である。
【図６】本発明の一実施形態に係る傾斜機を示す斜視図である。
【図７】本発明の一実施形態に係る傾斜機を示す側断面図である。
【符号の説明】
【００３９】
１０   パチンコ機
１２   外枠
２２   貫通孔
２４   傾斜枠（軸支手段）
３４   支軸（軸支手段）
３６   下面
３８   円弧形状部
４０   底面
５２   パチンコ機本体
８０   傾斜機（調整手段）
２００ 島設備
Ｌ     軸心（回動軸心）
【図１】
2006122482.tif 000003
【図２】
2006122482.tif 000004
【図３】
2006122482.tif 000005
【図４】
2006122482.tif 000006
【図５】
2006122482.tif 000007
【図６】
2006122482.tif 000008
【図７】
2006122482.tif 000009